(57)【特許請求の範囲】
【請求項１】
ＣＣＤカメラ，エリアイメージセンサ等のビデオカメラにおいて、カメラ本体と、ガルバノメーター制御回路（ｐ）内蔵のＶＳ制御タイプの自動絞りレンズ（Ｌ1）及びガルバノメーター制御回路を内蔵しないＤＣ制御タイプの自動絞りレンズ（Ｌ2)のいずれかの自動絞りレンズとを交換可能に接続する交換接続装置であって、
カメラ本体に設けられたスイッチ（ｖ）及びコネクター（ｋ）と、
自動絞りレンズに設けられて前記カメラ本体のコネクター（ｋ）に接続されるコネクター（ｋ）と、
を備え、
前記自動絞りレンズに設けられたコネクター（ｋ）には、ＶＳ制御タイプとＤＣ制御タイプのいずれか一方のタイプに突起片が取り付けられ、
カメラ本体に設けられたコネクター（ｋ）に接続される前記自動絞りレンズに設けられたコネクター（ｋ）の前記突起片の有無に応じて、前記スイッチ（ｖ）は、前記レンズに設けられたコネクターがＶＳ制御タイプの自動絞りレンズ（Ｌ1）のコネクターである場合に、前記カメラ本体に設けられたコネクター（ｋ）が自動絞りレンズ（Ｌ1）に内蔵されるガルバノメーター制御回路（ｐ）への光制御信号（ｌ）を出力するように、また、前記レンズに設けられたコネクター（ｋ）がＤＣ制御タイプの自動絞りレンズ（Ｌ2)のコネクターである場合に、前記カメラ本体に設けられたコネクター（ｋ）がカメラ本体に具備されたガルバノメーター制御回路（ｐ）の駆動用出力信号を出力すると共に、前記カメラ本体に具備されたガルバノメーター制御回路（ｐ）をコントロールする自動絞りレンズ（Ｌ2)からの帰還信号を入力するように、開閉するビデオカメラにおける自動絞りレンズの交換接続装置。
【請求項２】
カメラ本体に設けられたコネクター（ｋ）に接続されるレンズに設けられたコネクター（ｋ）の前記突起片の有無にかかわらず、カメラ本体の電源信号をカメラ本体に設けられたコネクター（ｋ）から出力することを特徴とする請求項１記載のビデオカメラにおける自動絞りレンズの交換接続装置。
【発明の詳細な説明】
【０００１】
【発明の属する技術分野】
本発明はＣＣＤ（Charged Couple Device）カメラ,エリアイメージセンサ等のビデオカメラにおけるビデオカメラと自動絞りレンズとの交換接続装置、特にビデオカメラ（Ｍ）とガルバノメーター制御回路（ｐ）の有る自動絞りレンズ（Ｌ1 ）及びガルバノメーター制御回路（ｐ）のない自動絞りレンズ（Ｌ2 ）との両者を任意に交換接続しうるようにした交換接続装置に関する。
【０００２】
【従来の技術】
図４は従来の一般的なビデオカメラ（Ｍ）と自動絞りレンズ（Ｌ）との接続装置を示す回路図である。この自動絞り付きレンズ（Ｌ）とカメラ（Ｍ）の動作原理の一例を図４で説明する。
【０００３】
レンズ（ａ）を通過した光信号はエリアセンサー（ｂ）で電気信号に変換され、ＡＧＣ増幅回路（ｃ）で増幅され、信号処理回路（ｄ）で規定のビデオ信号（１Ｖｐｐ）として出力される。
【０００４】
一方、エリアセンサー（ｂ）の出力信号の一部は固定増幅器（ｒ）（通常＋６ｄＢ〜１２ｄＢ）で増幅され、自動絞り付きレンズの光制御信号（１）として出力される。この光制御信号（１）はレベル設定増幅回路（ｅ）で積分増幅され、駆動直流電流（２）として絞りレンズ（Ｌ）の絞り制御機構のガルバノメーター（ｆ）を駆動し、適正な絞り値に制御する。回路中の可変抵抗器（ｇ）は適正な絞り値を設定する為のものである。
【０００５】
即ち光制御信号（１）が多くなれば、駆動直流電流（２）が増加し、絞りレンズ（Ｌ）の絞り（Ｉ）を絞るように作動し、光制御信号（１）が少なくなれば、駆動直流電流（２）が減少し、レンズの絞り（Ｉ）を開くように作動し、常に適正な光信号でカメラを動作させることが出来る。
【０００６】
上記の例では全てを一体として説明したが、通常はカメラに種々のレンズを取り付けて使用するため、カメラ（Ｍ）とレンズ（Ｌ）は夫々独立しており、カメラ（Ｍ）とレンズ（Ｌ）は必要に応じネジ結合される。
【０００７】
一方、上記光制御信号（１）或いは駆動直流電流（２）等の情報はケーブルとコネクターで接続される。
【０００８】
しかし、一般に自動絞り付きレンズ（一般にはオートアイリスレンズという）には以下の１、２の二種類のタイプがある。
【０００９】
１．ＶＳ制御タイプの自動絞りレンズ（Ｌ1 ）
ビデオ信号の一部（明るさ情報）光制御信号（１）でレンズの絞り（Ｉ）の開閉を制御するもので、自動絞りレンズ（Ｌ1 ）にはガルバノメーター制御回路（ｐ）を内蔵している。
【００１０】
図５はこの従来の一般的なビデオカメラ（Ｍ1 ）とガルバノメーター制御回路（ｐ）の有る自動絞りレンズ（Ｌ1 ）との接続装置を示す回路図で、図４と同じ部分は同じ符号を用いて説明する。（以下同様）
ビデオカメラ（Ｍ1 ）と自動絞りレンズ（Ｌ1 ）には互いにケーブル（３）で接続されるコネクター（ｋ），（ｋ）を有し、そのコネクター（ｋ），（ｋ）の各端子▲１▼，▲２▼，▲３▼，▲４▼はそのケーブルにより互いに接続される。その各端子▲１▼，▲１▼は電源、端子▲３▼，▲３▼は光制御信号（１）、端子▲４▼，▲４▼はＧＮＤに夫々接続される。端子▲２▼，▲２▼はＮ．Ｃ端子（無結線）である。
【００１１】
この回路の動作を説明すると、端子▲３▼から入力された光制御信号（１）は駆動用増幅器（ｈ）で積分増幅され、可変抵抗器（ｇ）で設定されたビデオカメラ（Ｍ1 ）のビデオ出力信号が規定の信号電圧（１Ｖｐｐ）に相当するレベル電圧に達するとガルバノメーター（ｆ）の駆動コイル（ＣＬ1 ）に流れる電流を減少し、レンズ絞り（Ｉ）を制御する。ガルバノメーター（ｆ）の制動コイル（ＣＬ2 ）は駆動コイル（ＣＬ1 ）の急激な動作を抑制するためのもので、この制動コイル（ＣＬ2 ）はガルバノメーター（ｆ）に発生する逆起電力を検出し、この逆起電力は増幅器（ｊ）で増幅され、駆動用増幅器（ｈ）に帰還をかけ、ガルバノメーター（ｆ）の動きをスムーズにし、安定な動作を行うように制御する。
【００１２】
２．ＤＣ制御タイプの自動絞りレンズ（Ｌ2 ）
安価を目的としたレンズで、レンズ絞り用ガルバノメーター（ｆ）のみを搭載し、ガルバノメーター制御回路（ｐ）は内蔵せず、カメラ（Ｍ2 ）からの適正な直流電源で制御される。
【００１３】
図６はかかる従来の一般的なビデオカメラ（Ｍ2 ）とガルバノメーター制御回路（ｐ）のない自動絞りレンズ（Ｌ2 ）との接続装置を示す回路図である。図６示のように、ビデオカメラ（Ｍ2 ）と自動絞りレンズ（Ｌ2 ）には上記と同様の互いにケーブル（３）で接続されるコネクター（ｋ），（ｋ）を有し、そのコネクター（ｋ），（ｋ）の端子▲１▼は制動コイル（ＣＬ2 ）の＋極、端子▲２▼は同じく−極、端子▲３▼は駆動コイル（ＣＬ1 ）の＋極、端子▲４▼は同じく−極に夫々接続される。
【００１４】
この回路の動作を説明すると、カメラ（Ｍ2 ）側で光制御信号（１）は駆動用増幅器（ｈ）で積分増幅し、可変抵抗器（ｇ）で設定された適正な駆動直流電流（２）に変換し、この駆動直流電流（２）はコネクター（ｋ），（ｋ）の端子▲３▼、▲４▼を介して駆動コイル（ＣＬ1 ）を駆動する。
【００１５】
制動コイル（ＣＬ2 ）に発生した逆起電力は端子▲１▼、▲２▼を介して制動情報としてカメラ（Ｍ2 ）側に送られる。
【００１６】
即ち、この２．ＤＣ制御タイプの自動絞りレンズ（Ｌ2 ）は前記１．ＶＳ制御タイプ（Ｌ1 ）の構成に比較して、ガルバノメーター制御回路（ｐ）を省略し、単純で安価な構成としたものである。
【００１７】
従ってこの２．ＤＣ制御タイプの自動絞りレンズ（Ｌ2 ）を使用するにはカメラ（Ｍ2 ）側に上記ガルバノメーター制御回路（ｐ）を装備することが必要条件となる。
【００１８】
しかし、実際、カメラ側の必要条件として、ビデオカメラには前記１．、２．の異なった二種類の自動絞り付きレンズ（Ｌ1 ），（Ｌ2 ）のどちらでも自由に使うことが望まれる。また実際には、２種類のレンズ（Ｌ1 ），（Ｌ2 ）に使用するコネクターは同じ物で、端子接続のみ違う製品が多い。
【００１９】
図７はかかる従来の一般的なビデオカメラ（Ｍ3 ）とガルバノメーター制御回路（ｐ）の有る自動絞りレンズ（Ｌ1 ）およびガルバノメーター制御回路のない自動絞りレンズ（Ｌ2 ）との交換接続装置を示す回路図である。
【００２０】
このカメラ（Ｍ3 ）には同じ２個のコネクター（ｋ1 ），（ｋ2 ）があり、その一方はレンズ（Ｌ1 ）用であり、他方はレンズ（Ｌ2 ）用である。
【００２１】
レンズ（Ｌ1 ）用のコネクター（ｋ1 ）の端子▲３▼には光制御信号（１）をガルバノメーター制御回路（ｐ）を介さないで直接に出力し、レンズ（Ｌ2 ）用のコネクター（ｋ2 ）には光制御信号（１）をガルバノメーター制御回路（ｐ）にて積分増幅後、直流電流に変換し、そのレベルを可変抵抗器（ｇ）で設定し、カメラ（Ｍ3 ）のビデオ出力信号が規定の信号電圧（１Ｖｐｐ）に相当するようにした、上記直流電流をガルバノメータ（ｆ）の駆動直流電流（２）として端子▲３▼に出力する。
【００２２】
したがってレンズ（Ｌ1 ）を制御する信号と、レンズ（Ｌ2 ）を制御する信号とがそれぞれのコネクター（ｋ1 ），（ｋ2 ）に出力される。
【００２３】
しかしこれではレンズの種類によって接続するコネクターを変える必要があり、面倒で誤操作の原因となる。
【００２４】
また、コネクターを２つ設ける代わりにカメラ本体に切換スイッチ（ｖ）を設けるものもある。図８はかかる従来の一般的なビデオカメラ（Ｍ4 ）とガルバノメーター制御回路（ｐ）の有る自動絞りレンズ（Ｌ1 ）およびガルバノメーター制御回路のない自動絞りレンズ（Ｌ2 ）との交換接続装置の他の例を示す回路図である。
【００２５】
即ち光制御信号（１）と、同じく上記ガルバノメータ（ｆ）の駆動直流電流（２）を切換スイッチ（ｖ）で切り替え、同一コネクター（ｋ）の端子▲３▼に接続して使用する（当然他の端子も切り換える）交換接続装置である。
【００２６】
しかしこれも使用するレンズの種類に合わせて、切換スイッチ（ｖ）で出力信号を切り替える必要があり、面倒で誤操作の原因となる。
【００２７】
【発明が解決しようとする課題】
以上のように従来のいずれの方法も使用するレンズの種類を確かめる必要があり、間違ったコネクターに挿入したり、スイッチの切り替えを誤ったりし、場合によっては誤動作したり、破損事故を起こしたりする虞れがある。
【００２８】
本発明はかかる欠点を除去するもので、1 つの共通するコネクター（ｋ）で、種類の異なるレンズのコネクター（ｋ）を接続可能として、カメラの使用者がいずれの種類のレンズ（Ｌ1 ）,（Ｌ2 ）を用いても、使用するレンズを意識せずにコネクターを接続して使用できるカメラを提供するものである。
【００２９】
【課題を解決するための手段】
本発明の請求項１は、ＶＳ制御タイプの自動絞りレンズかＤＣ制御タイプの自動絞りレンズのいずれか一方のプラグに突起部を備え、カメラ本体のコネクター（ｋ）ソケットには前記プラグが挿入され切り替わるスイッチ（ｖ）を取り付けたもので、ＣＣＤカメラ，エリアイメージセンサ等のビデオカメラにおいて、カメラ本体と、ガルバノメーター制御回路（ｐ）内蔵のＶＳ制御タイプの自動絞りレンズ（Ｌ1）及びガルバノメーター制御回路を内蔵しないＤＣ制御タイプの自動絞りレンズ（Ｌ2)のいずれかの自動絞りレンズとを交換可能に接続する交換接続装置であって、
カメラ本体に設けられたスイッチ（ｖ）及びコネクター（ｋ）と、
自動絞りレンズに設けられて前記カメラ本体のコネクター（ｋ）に接続されるコネクター（ｋ）と、
を備え、
前記自動絞りレンズに設けられたコネクター（ｋ）には、ＶＳ制御タイプとＤＣ制御タイプのいずれか一方のタイプに突起片が取り付けられ、
カメラ本体に設けられたコネクター（ｋ）に接続される前記自動絞りレンズに設けられたコネクター（ｋ）の前記突起片の有無に応じて、前記スイッチ（ｖ）は、前記レンズに設けられたコネクターがＶＳ制御タイプの自動絞りレンズ（Ｌ1）のコネクターである場合に、前記カメラ本体に設けられたコネクター（ｋ）が自動絞りレンズ（Ｌ1）に内蔵されるガルバノメーター制御回路（ｐ）への光制御信号（ｌ）を出力するように、また、前記レンズに設けられたコネクター（ｋ）がＤＣ制御タイプの自動絞りレンズ（Ｌ2)のコネクターである場合に、前記カメラ本体に設けられたコネクター（ｋ）がカメラ本体に具備されたガルバノメーター制御回路（ｐ）の駆動用出力信号を出力すると共に、前記カメラ本体に具備されたガルバノメーター制御回路（ｐ）をコントロールする自動絞りレンズ（Ｌ2)からの帰還信号を入力するように、開閉するビデオカメラにおける自動絞りレンズの交換接続装置である。
【００３０】
本発明の請求項２は、ガルバノメーターの帰還用コイルの接地側を電源と共通になるように回路を構成しスイッチ（ｖ）を単回路に簡素化し請求項１と同等の効果を達成する回路構成で、カメラ本体に設けられたコネクター（ｋ）に接続されるレンズに設けられたコネクター（ｋ）の前記突起片の有無にかかわらず、カメラ本体の電源信号をカメラ本体に設けられたコネクター（ｋ）から出力することを特徴とする請求項１記載のビデオカメラにおける自動絞りレンズの交換接続装置である。
【００３１】
【発明の実施の形態】
図１は本発明の第１の実施の形態の（Ａ）はその概略を示すブロック図、（Ｂ）はそのビデオカメラ（Ｍ5 ）の具体的な回路図を示す。
【００３２】
この第１の実施の形態は、図３に示す通り、カメラ本体に具備したコネクター（ｋ）ソケットには突起部の付いたプラグが接続されたときはＳ2側に切り替わり、突起部のないプラグが接続されたときはＳ1側に常接している切り替えスイッチ（ｖ）が併設されている。一方、レンズのコネクター（ｋ）プラグは一例として、ＶＳ制御タイプの自動絞りレンズには前記突起部のないプラグを装着し、ＤＣ制御タイプの自動絞りレンズには突起部の付いたプラグを装着することとする。
突起部の無いプラグ、即ちＶＳ制御タイプの自動絞りレンズ（Ｌ1）が接続された時は、スイッチはＳ1側にあり、図５のコネクター（ｋ）の端子配列となる。即ち、▲１▼は電源、▲２▼はＮＣ、▲３▼は光制御信号（１）、▲４▼はＧＮＤ．となり、ＶＳ制御タイプの自動絞りレンズの動作接続回路が構成される。
【００３３】
次に突起部のあるプラグ、即ちＤＣ制御タイプの自動絞りレンズ（Ｌ2)が接続された時は、スイッチはＳ2側にあり、図６のコネクター（ｋ）の端子配列となる。即ち、▲１▼は制動コイル（ＣＬ2 ）の＋極、▲２▼は同じく−極、▲３▼は駆動コイルの＋極、▲４▼は同じく−極となり、ＤＣ制御タイプの自動絞りレンズの動作接続回路が構成される。
【００３４】
図２は本発明の第２の実施の形態の（Ａ）はその概略を示すブロック図、（Ｂ）はそのビデオカメラ（Ｍ6）の具体的な回路図を示す。
この第２の実施の形態は、前記第１の実施の形態の切り替えスイッチ（ｖ）を単純化するための回路構成で、制御信号及びレンズからの帰還信号を開閉するスイッチ（ｖ）の接点を少なくするよう帰還信号源の接地側と制御信号の接地側を共通にして回路を簡素化したものである。
即ち、コネクター端子▲１▼の切り替えを省略した回路構成である。▲２▼端子は（Ｌ1 ）レンズ使用時は空き端子であり、（Ｌ2 )レンズ使用時のみ制動コイル（ＣＬ2  ）の＋極となる。一方、▲１▼端子は制動コイルの−極となるが、切り替えない場合常に電源に接続されることとなる。▲１▼端子は常に電源（＋９ｖ）に接続されるが、電源のインピーダンスは十分に低いので、制動コイルに発生する制御交流信号は影響されない。従って▲２▼端子の出力を図２（Ｂ）に示す抵抗（Ｒ）とコンデンサー（Ｃ）で直流成分を阻止すれば、制御用帰還信号には影響が出ない。
以上の回路構成によりスイッチ（ｖ）はその半分を省略でき、回路が簡素化され、しかも実施の形態１と同等の動作が可能となる。
【００３５】
図３に実施の形態１，２で使用するコネクター（ｋ）に突起部を付けたプラグとソケットの構成図の一例を示す。
プラグ１３に突起部１０を具備する。当然、突起部の無いプラグも使用するが、改めて図示しない。
一方、カメラ本体のコネクター（ｋ）ソケット側にはコネクターの接続により、上記突起部が有ったり無かったりするので、弾性片（１１），（１２）が自然に状態を検知し、スイッチ（ｖ）を切り替えカメラの使用者がいずれの種類のレンズ（Ｌ1 )，(Ｌ2 ）を用いても、使用するレンズを意識せずにコネクターに接続して使用できる。
【００３６】
【発明の効果】
以上のように本発明によれば、異なった２種類の自動絞り機構付きレンズ（Ｌ1)，(Ｌ2 ）を、種類に関係なく自由にカメラ側のコネクター（ｋ）に挿入接続して使用することができ、レンズの種類を確認する必要がなく便利である。
【図面の簡単な説明】
【図１】本発明の第１の実施の形態の（Ａ）はその概略を示すブロック図、（Ｂ）はその回路図である。
【図２】本発明の第２の実施の形態の（Ａ）はその概略を示すブロック図、（Ｂ）はその回路図である。
【図３】本発明の第１の実施の形態を示すもので、Ａはそのレンズ側コネクターのプラグの正面図、Ｂはその側面図、Ｃはカメラ側コネクターのソケットの側面図、Ｄはその回路図である。
【図４】従来の一般的なビデオカメラ（Ｍ）と自動絞りレンズ（Ｌ）との接続装置を示す回路図である。
【図５】従来の一般的なビデオカメラ（Ｍ1 ）とガルバノメーター制御回路（ｐ）の有る自動絞りレンズ（Ｌ1 ）の接続装置を示す回路図である。
【図６】従来の一般的なビデオカメラ（Ｍ2 ）とガルバノメーター制御回路（ｐ）のない自動絞りレンズ（Ｌ2 ）との接続装置を示す回路図である。
【図７】従来の一般的なビデオカメラ（Ｍ3 ）とガルバノメーター制御回路（ｐ）の有る自動絞りレンズ（Ｌ1 ）およびガルバノメーター制御回路のない自動絞りレンズ（Ｌ2 ）との交換接続装置を示す回路図である。
【図８】従来の一般的なビデオカメラ（Ｍ4 ）とガルバノメーター制御回路（ｐ）の有る自動絞りレンズ（Ｌ1 ）およびガルバノメーター制御回路のない自動絞りレンズ（Ｌ2 ）との交換接続装置の他の例を示す回路図である。
【符号の説明】
（Ｍ5 ，Ｍ6 ）．．．ビデオカメラ
（１）．．．．．．．光制御信号
（ｔ）．．．．．．．直接アナログスイッチ
（ｋ）．．．．．．．コネクター
（Ｌ1 ）．．．．．．ＶＳ制御タイプの自動絞りレンズ
（Ｌ2 ）．．．．．．ＤＣ制御タイプの自動絞りレンズ
（ｐ）．．．．．．．ガルバノメーター制御回路
（１Ｖｐｐ）．．．．ビデオ信号
（ｆ）．．．．．．．ガルバノメーター
（ｖ ）．．．．．．機械的な切換スイッチ
（６）．．．．．．．干渉防止用素子
【図１】
0003893094.tif 000002
【図２】
0003893094.tif 000003
【図３】
0003893094.tif 000004
【図４】
0003893094.tif 000005
【図５】
0003893094.tif 000006
【図６】
0003893094.tif 000007
【図７】
0003893094.tif 000008
【図８】
0003893094.tif 000009